(57)【要約】      （修正有）【課題】箱型のコンテナに対して着脱可能に設け、開放した上部側壁部を所定位置に保持することで、コンテナ内の物品の取出し作業性を向上するコンテナの扉部の支持装置を提供する。【解決手段】コンテナの扉部の支持装置１０Ｌは、少なくとも一つの側壁３２が、下部側壁部３３と、下部側壁部にヒンジ３５連結して外側へ開閉可能な上部側壁部３４とを具備して構成される箱型のコンテナ３０に対して着脱可能に設けられる。外側へ開放した上部側壁部３４を水平又は水平より上向き状態で保持する保持部２０と、上部側壁部に対して隣接する側壁３２Ｌの上辺に係合する係合部１１と、係合部１１と保持部２０とを一体的に連結する連結部１２と、を備える。【選択図】図７
0003188331.tif 000002
【実用新案登録請求の範囲】
【請求項１】
少なくとも一つの側壁が、下部側壁部と、前記下部側壁部にヒンジ連結して外側へ開閉可能な上部側壁部とを具備して構成される箱型のコンテナに対して着脱可能に設けたコンテナの扉部の支持装置であって、
前記コンテナの外側へ開放した前記上部側壁部を水平又は水平より上向き状態で保持する保持部と、
前記コンテナの上部側壁部に対して隣接する側壁の上辺に係合する係合部と、
前記係合部と前記保持部とを一体的に連結する連結部と、
を備えたことを特徴とするコンテナの扉部の支持装置。
【請求項２】
前記係合部と前記保持部は、前記コンテナの上部側壁部に対して隣接する両側壁のうち、少なくとも一方の側壁へ係合することを特徴とする請求項１に記載のコンテナの扉部の支持装置。
【請求項３】
前記保持部は、前記コンテナの側壁の前側に突き当たる第一突当て部と、前記側壁を前記連結部の側面との間で挟むための第一挟込み部と、を備えていることを特徴とする請求項１又は２に記載のコンテナの扉部の支持装置。
【請求項４】
前記連結部は、前記コンテナの側壁の前側に突き当たる第二突当て部と、前記側壁を連結部の側面との間で挟むための第二挟込み部と、を備えていることを特徴とする請求項１，２又は３に記載のコンテナの扉部の支持装置。
【請求項５】
前記保持部と前記連結部は、前記コンテナの側壁の前側から前方へ突出するカバー板部材を一体的に備えていることを特徴とする請求項１〜４のうち、何れか１項に記載のコンテナの扉部の支持装置。
【請求項６】
前記保持部は、前記コンテナの外側へ開放した前記上部側壁部が当接するクッション部材を備えていることを特徴とする請求項１〜５のうち、何れか１項に記載のコンテナの扉部の支持装置。
【考案の詳細な説明】
【技術分野】
【０００１】
本考案は、少なくとも一つの側壁が、下部側壁部と、前記下部側壁部にヒンジ連結して外側へ開閉可能な上部側壁部とを具備して構成される、既存の箱型のコンテナに対して着脱可能に設けるコンテナの扉部の支持装置を提供する。しかも、開放した前記上部側壁部を所定位置に保持することで、コンテナ内の物品の取出作業を容易とするコンテナの扉部の支持装置に関する。
【背景技術】
【０００２】
畑などの圃場にて栽培されているキャベツ、白菜、カボチャ、玉ねぎなどの農産物は、収穫後、コンテナ等に収容される。野菜でいっぱいになったコンテナは、例えばフォークリフトやクレーン等により持ち上げられて、仕分けや箱詰めなどの作業場へ搬送される。近年、野菜の収穫には、圃場を走行する農業用収穫機が使用されている。前記農業用収穫機は、例えば野菜を刈り取るカッタ部、刈り取った野菜を搬送するコンベア等の他、前記野菜を収容するコンテナが取り外し自在に設置されている場合もある。
【０００３】
コンテナ内に収容した野菜は、作業員によってコンテナから外へ取り出される。従来からコンテナとしては、野菜を収納したり、取出したりする際の作業性を向上させるために、所定の側壁に扉部を設けている。背丈より少し低い程度の高さを有するコンテナの場合、野菜がコンテナ内にいっぱいの時と、次第に野菜が少なくなって底部付近に位置する時では、野菜の取出し作業の状況が違ってくる。そこで、例えば特許文献１に示すように、コンテナの側壁を上下方向に３つに分割した上部側壁部、中間側壁部、下部側壁部の間をヒンジ連結して構成し、上部側壁部と中間側壁部を引き抜き可能に設け、状況の変化に応じて上部側壁部、中間側壁部を引き抜いて、野菜を取り出しやすく工夫している。
【先行技術文献】
【特許文献】
【０００４】
【特許文献１】特開２００７−５５６５１号公報
【考案の概要】
【考案が解決しようとする課題】
【０００５】
特許文献１の折り畳みコンテナにおいては、上部側壁部、中間側壁部、下部側壁部の間をヒンジ連結し、かつ上部側壁部と中間側壁部を引き抜き可能に設けているので、複雑な機構を要する。したがって、従来から使用されている既存のコンテナを改造することはできず、新たに製作する必要がある。
【０００６】
従来から使用されている扉部を備えたコンテナは、野菜がコンテナ内にいっぱいの時では、前記扉部を開くと、野菜が崩れ落ちてしまうので、コンテナ上面の開口から野菜を取り出すことを余儀なくされ、作業性が悪いという課題があった。その後、野菜が崩れ落ちない程度に少なくなってから、前記扉部を開いてコンテナ内の野菜を取り出すことになる。
【０００７】
本考案はこのような事情に鑑みてなされたものであって、コンテナ内の物品を取出す際の作業性を改善するコンテナの扉部の支持装置を提供することを目的とする。
【課題を解決するための手段】
【０００８】
請求項１記載の考案は、少なくとも一つの側壁が、下部側壁部と、前記下部側壁部にヒンジ連結して外側へ開閉可能な上部側壁部とを具備して構成される箱型のコンテナに対して着脱可能に設けたコンテナの扉部の支持装置である。前記コンテナの外側へ開放した前記上部側壁部を水平又は水平より上向き状態で保持する保持部と、前記コンテナの上部側壁部に対して隣接する側壁の上辺に係合する係合部と、前記係合部と前記保持部とを一体的に連結する連結部と、を備えたことを特徴とする。
【０００９】
請求項２記載の考案は、上記１項において、前記係合部と前記保持部は、前記コンテナの上部側壁部に対して隣接する両側壁のうち、少なくとも一方の側壁へ係合することを特徴とする。
【００１０】
請求項３記載の考案は、上記１項又は２項において、前記保持部は、前記コンテナの側壁の前側に突き当たる第一突当て部と、前記側壁を前記連結部の側面との間で挟むための第一挟込み部と、を備えていることを特徴とする。
【００１１】
請求項４記載の考案は、上記１，２又は３項において、前記連結部は、前記コンテナの側壁の前側に突き当たる第二突当て部と、前記側壁を連結部の側面との間で挟むための第二挟込み部と、を備えていることを特徴としている。
【００１２】
請求項５記載の考案は、上記１〜４項のうち、何れか１項において、前記保持部と前記連結部は、前記コンテナの側壁の前側から前方へ突出するカバー板部材を一体的に備えていることを特徴としている。
【００１３】
請求項６記載の考案は、上記１〜５項のうち、何れか１項において、前記保持部は、前記コンテナの外側へ開放した前記上部側壁部が当接するクッション部材を備えていることを特徴としている。
【考案の効果】
【００１４】
本考案によれば、箱型のコンテナに対して着脱可能に設け、開放した前記上部側壁部（扉部）を水平、あるいは水平より上向き状態で保持することができるので、コンテナ内の野菜等、物品の取出し時の作業性を向上させることが可能である。
また、従来からすでに使用されているコンテナを改造しなくても装着するだけで使用可能であり、広い適用範囲を有する。また、簡単化された構造であるので、対象となるコンテナの大きさや構造に柔軟に対応することができる。
【図面の簡単な説明】
【００１５】
【図１】本考案に係るコンテナの扉部の支持装置の一つの実施形態を示す全体的な正面側斜視図である。
【図２】図１におけるコンテナの扉部の支持装置の背面側斜視図である。
【図３】図１におけるコンテナの扉部の支持装置の正面図である。
【図４】図１におけるコンテナの扉部の支持装置の平面図である。
【図５】図１におけるコンテナの扉部の支持装置の右側面図である。
【図６】図１におけるコンテナの扉部の支持装置の左側面図である。
【図７】図１における（左側の）コンテナの扉部の支持装置をコンテナの左側に装着する状態と、前記左側のコンテナの扉部の支持装置と対称的な右側のコンテナの扉部の支持装置をコンテナの右側に装着する際の状態を示す斜視図である。
【図８】図７において左側のコンテナの扉部の支持装置と、右側のコンテナの扉部の支持装置とをコンテナに装着した状態を示す斜視図である。
【図９】図８におけるコンテナへ野菜を収納した状態を示す斜視図である。
【図１０】図８における矢視ＩＸ−ＩＸ線の断面図である。
【考案を実施するための形態】
【００１６】
以下、本考案の実施形態に係るコンテナの扉部の支持装置について図面を参照して説明する。図１は、本考案に係る支持装置１０の一つの実施形態を示す全体的な正面側斜視図である。なお、図１は、図７において左側の支持装置１０Ｌを示す。図２は、図１における支持装置１０Ｌの背面側斜視図である。
【００１７】
図７は、一つの実施形態として用いる箱型のコンテナ３０を示している。前記コンテナ３０は、底部３１と、四方の側壁３２，３２，３２，３２とで構成され、その上面が開口している。各側壁３２は、格子状の骨部材３２ａとその骨部材３２ａの内側へ張付けた網部材３２ｂとで構成している。また、少なくとも一つの側壁３２が、下部側壁部３３と、前記下部側壁部３３にヒンジ３５で連結して外側へ開閉可能な扉部としての上部側壁部３４と、で構成されている。
本実施形態では、作業者がコンテナ３０に向かい、前記上部側壁部３４を手前側へ開く方向を前方向とする。作業者がコンテナ３０に向かって左側の側壁を左側壁３２Ｌ、右側の側壁を右側壁３２Ｒという。図７は、コンテナ３０の左側壁３２Ｌに装着する左側の支持装置１０Ｌと、コンテナ３０の右側壁３２Ｒに装着する右側の支持装置１０Ｒとを前記コンテナ３０に装着する際の状態を示す斜視図である。
【００１８】
図８は、左側の支持装置１０Ｌと、右側の支持装置１０Ｒとをコンテナ３０に装着した状態と、コンテナ３０の上部側壁部３４を開いた状態を示す斜視図である。
【００１９】
本実施形態のコンテナの扉部の支持装置１０は、図７および図８に示すように、箱型のコンテナ３０に対して着脱可能である。左側の支持装置１０Ｌと、右側の支持装置１０Ｒの両方、あるいは、そのいずれか一方であっても機能する。しかし、両方の支持装置１０Ｌ，１０Ｒを使用することが強度の点で望ましい。
また、図７において左側の支持装置１０Ｌと右側の支持装置１０Ｒは、対称的で同様の構造である。その理由で、本実施形態では、左側の支持装置１０Ｌについて詳しく説明し、右側の支持装置１０Ｒの説明は省略する。
【００２０】
本実施形態の左側の支持装置１０Ｌは、図１および図２に示すように、保持部２０と、係合部１１と、前記係合部１１と前記保持部２０とを一体的に連結する連結部１２と、を備えている。
【００２１】
保持部２０は、コンテナ３０の手前側へ開いた上部側壁部３４を水平、あるいは水平より上向き状態で保持するものである。本実施形態では、保持部２０は、第一保持部材２１と第二保持部材２４で構成している。第一保持部材２１は角パイプを用いており、第一保持部材２１の後端はコンテナ３０の左側壁３２Ｌの前側に突き当たる第一突当て部２２を備える。したがって、第一保持部材２１が第一突当て部２２によって左側壁３２Ｌの前側から前方へ突き出される構造である。また、保持部２０にかかる上部側壁部３４の荷重が、前記第一突当て部２２を介して左側壁３２Ｌの前側へ分散してかかる構造となる。
【００２２】
第二保持部材２４は、コンテナ３０の手前側へ開いた上部側壁部３４を受けて保持するためのもので、第一保持部材２１から右方（上部側壁部３４を受ける方向）へ突出している。本実施形態では、第一保持部材２１である角パイプの下面に固定した板材を第二保持部材２４として用いている。
また、第二保持部材２４である板材の上面には、上部側壁部３４が当接するクッション部材２５を備えている。クッション部材２５としては、弾性を有するゴムなどの樹脂が用いられる。
【００２３】
さらに、第一保持部材２１の後端には、連結部１２の側面との間で左側壁３２Ｌを挟むための第一挟込み部２３である板材が、第一突当て部２２から後方へ突出している。第一挟込み部２３と連結部１２の側面によって第一保持部材２１の後端が左側壁３２Ｌの前側へ位置決めされる。
【００２４】
係合部１１は、コンテナ３０の上部側壁部３４に対して隣接する側壁３２の上辺に係合するものである。本実施形態では、係合部１１は、左側壁３２Ｌの上辺に上から挟み込むように被せて係合する断面下向きコ字状をなす。
【００２５】
連結部１２は、係合部１１と保持部２０とを一体的に連結するもので、保持部２０にかかる上部側壁部３４の荷重が、係合部１１を介して左側壁３２Ｌにて支持する支持部材としての機能を有する。本実施形態では、連結部１２として角パイプを用いており、連結部１２の中間にコンテナ３０の左側壁３２Ｌの前側に突き当たる第二突当て部１３を備える。したがって、保持部２０にかかる上部側壁部３４の荷重が、連結部１２の第二突当て部１３を介して左側壁３２Ｌの前側へ分散してかかる構造となる。
【００２６】
さらに、連結部１２には、連結部１２の側面との間で左側壁３２Ｌを挟むための第二挟込み部１４である板材が、第二突当て部１３から後方へ突出している。第二挟込み部１４によって連結部１２が左側壁３２Ｌの左側へ位置決めされる。
さらに加えて、連結部１２には、前記第一突当て部２２および前記第二突当て部１３との間で左側壁３２Ｌの前側の骨部材３２ａを挟み込むための補強部材１５を突出している。
【００２７】
また、保持部２０と連結部１２は、コンテナ３０の左側壁３２Ｌの前側から前方へ突出するカバー板部材１６をボルトなどの固定具にて一体的に備えている。カバー板部材１６は、上部側壁部３４をコンテナ３０の手前側へ開く際に、ぶつからない構成である。また、上部側壁部３４をコンテナ３０の手前側へ開いた時に、野菜が側方へ落ちないようにするためのカバーとなる。本実施形態では、カバー板部材１６は、作業性を考慮して三角形状をなしているが、その形状は特に限定されない。
【００２８】
上記の支持装置１０の作用について説明する。
左側の支持装置１０Ｌは、図７に示すように、係合部１１をコンテナ３０の左側壁３２Ｌの上辺に上から挟み込むように被せて係合する。この時、保持部２０の第一挟込み部２３である板材と連結部１２の側面との間で左側壁３２Ｌを前側から挟み込むようにして、第一突当て部２２を左側壁３２Ｌの前側に突き当てる。さらに、連結部１２の第二挟込み部１４である板材と連結部１２の側面との間で左側壁３２Ｌを前側から挟み込むようにして、第二突当て部１３を左側壁３２Ｌの前側に突き当てる。また、連結部１２の補強部材１５と前記第二突当て部１３との間で左側壁３２Ｌの前側の骨部材３２ａを挟み込む。
【００２９】
その結果、左側の支持装置１０Ｌは、図８に示すように、保持部２０の第一保持部材２１が第一突当て部２２によって左側壁３２Ｌの前側から手前方向へ突き出されるように位置決めされる。第二保持部材２４が第一保持部材２１から右方（上部側壁部３４を受ける方向）へ突出した状態となる。また、連結部１２が第二挟込み部１４によって左側壁３２Ｌの左側へ位置決めされる。以上のように、左側の支持装置１０Ｌは、コンテナ３０の左側壁３２Ｌへ簡単に装着することができる。
【００３０】
一方、右側の支持装置１０Ｒは、図７に示すように、上述の左側の支持装置１０Ｌと同様に、コンテナ３０の右側壁３２Ｒへ装着することができる。
すなわち、係合部１１をコンテナ３０の右側壁３２Ｒの上辺に上から挟み込むように被せて係合する。この時、保持部２０の第一挟込み部２３である板材と連結部１２の側面との間で右側壁３２Ｒを前側から挟み込むようにして、第一突当て部２２を右側壁３２Ｒの前側に突き当てる。さらに、連結部１２の第二挟込み部１４である板材と連結部１２の側面との間で右側壁３２Ｒを前側から挟み込むようにして、第二突当て部１３を右側壁３２Ｒの前側に突き当てる。また、連結部１２の補強部材１５と、前記第一突当て部２２および前記第二突当て部１３との間で右側壁３２Ｒの前側の骨部材３２ａを挟み込む。
【００３１】
その結果、右側の支持装置１０Ｒは、図８に示すように、保持部２０の第一保持部材２１が第一突当て部２２によって右側壁３２Ｒの前側から手前方向へ突き出されるように位置決めされる。第二保持部材２４が第一保持部材２１から左方（上部側壁部３４を受ける方向）へ突出した状態となる。また、連結部１２が第二挟込み部１４によって右側壁３２Ｒの右側へ位置決めされる。以上のように、右側の支持装置１０Ｒは、コンテナ３０の右側壁３２Ｒへ簡単に装着することができる。
【００３２】
次に、前記上部側壁部３４を手前側へ回動して開くと、図８および図１０に示すように、上部側壁部３４の左側縁部分が左側の支持装置１０Ｌにおける第二保持部材２４の上面のクッション部材２５に当たって回動が停止する。一方、上部側壁部３４の右側縁部分が右側の支持装置１０Ｒにおける第二保持部材２４の上面のクッション部材２５に当たって回動が停止する。この時、上部側壁部３４は、図１０に示すように、ほぼ水平状態で保持される。あるいは、予め設定した保持部２０の位置によって、水平より上向き状態で保持することができる。
【００３３】
上部側壁部３４の荷重は、左側の支持装置１０Ｌの保持部２０と、右側の支持装置１０Ｒの保持部２０へかかる。すなわち、前記左側の保持部２０にかかった荷重は、連結部１２および係合部１１を介して左側壁３２Ｌの上辺へかかる。さらに、前記荷重は、第一保持部材２１の後端の第一突当て部２２から左側壁３２Ｌの前側へ分散してかかる。さらに、前記荷重は、連結部１２の第二突当て部１３を介して左側壁３２Ｌの前側へ分散してかかる。
一方、前記右側の保持部２０にかかった荷重は、連結部１２および係合部１１を介して右側壁３２Ｒの上辺へかかる。さらに、前記荷重は、第一保持部材２１の後端の第一突当て部２２から右側壁３２Ｒの前側へ分散してかかる。さらに、前記荷重は、連結部１２の第二突当て部１３を介して右側壁３２Ｒの前側へ分散してかかる。
【００３４】
コンテナ３０の内部の野菜は、図９に示すように、手前側に崩れて上部側壁部３４の上に転がり出てくる。この時、左側の支持装置１０Ｌと、右側の支持装置１０Ｒにはカバー板部材１６を設けているので、上部側壁部３４の側方から野菜が落下するのを未然に防止することが可能である。
【００３５】
以上のように、作業者は上部側壁部３４の野菜を取り出しやすくなる。その後、野菜が下部側壁部３３の高さくらいになったら、上記の左側の支持装置１０Ｌと、右側の支持装置１０Ｒをコンテナ３０から簡単に外し、上部側壁部３４を下部側壁部３３に重ね合わせる位置まで下方へ回動させる。これによって、コンテナ３０の内部から野菜を容易に取り出すことができる。
したがって、従来からすでに使用されているコンテナ３０を改造しなくても、本発明の実施形態の支持装置１０を簡単に装着することで、コンテナ３０内の野菜などの物品の取出し作業性を向上することができた。
【産業上の利用可能性】
【００３６】
本考案は、従来からすでに使用されているコンテナを改造しなくても装着するだけで良いので広い適用範囲を有する。また、簡単な構造であるので、対象となるコンテナの大きさや構造に柔軟に対応することができる。
【符号の説明】
【００３７】
１０  コンテナの扉部の支持装置
１０Ｌ  左側の支持装置
１０Ｒ  右側の支持装置
１１  係合部
１２  連結部
１３  第二突当て部
１４  第二挟込み部
１５  補強部材
１６  カバー板部材
２０  保持部
２１  第一保持部材
２２  第一突当て部
２３  第一挟込み部
２４  第二保持部材
２５  クッション部材
３０  コンテナ
３１  底部
３２  側壁
３２Ｌ  左側壁
３２Ｒ  右側壁
３２ａ  骨部材
３２ｂ  網部材
３３  下部側壁部
３４  上部側壁部
３５  ヒンジ
【図１】
0003188331.tif 000003
【図２】
0003188331.tif 000004
【図３】
0003188331.tif 000005
【図４】
0003188331.tif 000006
【図５】
0003188331.tif 000007
【図６】
0003188331.tif 000008
【図７】
0003188331.tif 000009
【図８】
0003188331.tif 000010
【図９】
0003188331.tif 000011
【図１０】
0003188331.tif 000012